(57)【要約】【課題】ホース先端に取り付けられる隙間ノズルや吸込ブラシでは、でこぼこした置物や家具の表面や、置物の下などの狭いところに積もったほこりを掃除する際には置物や家具の表面を傷つけたり、きれいにほこりがとれなかったりするのに加え、ホース部分が重いため取り回しが悪く、操作もしにくかった。【解決手段】延長管１２側面にモップアタッチメント７の収納部６を構成し、ここにモップアタッチメント７を収納する際、あるいは取り出す際に、モップアタッチメント７が自動的に電気掃除機の吸引力により清掃され、常にきれいなモップが使いたいときにさっと使えてさっと収納でき、使い勝手が向上した電気掃除機が提供できる。【選択図】図２
2010213886.tif 000002
【特許請求の範囲】
【請求項１】
吸引風を生成する電動送風機を内蔵する掃除機本体と、前記電動送風機により発生する吸引風により塵埃を吸引する吸込口と、前記電動送風機と前記吸込口とをつなぐ風路と、前記風路と開閉弁を介して接続され外気取入口を有する収納部と、前記収納部に収納可能なモップアタッチメントとを備え、前記収納部内面に前記開閉弁と一体化された、あるいは連動する構成とされた開閉突起を設け、前記開閉突起は、ばね等により通常状態では前記開閉弁が閉じた状態で保持され、モップアタッチメントが前記収納部へと挿入される際に前記開閉突起が押されることにより前記開閉弁が開き、前記モップアタッチメントが前記収納部へ奥まで挿入された状態では、前記開閉突起を押さない構成とすることで前記開閉弁が閉じる構成とした電気掃除機。
【請求項２】
吸込口に延長管が接続され、延長管にホースが接続され、ホースが掃除機本体へと接続されることで電動送風機と吸込口が連通される電気掃除機において、断面を略平板形状としたモップ芯にモップブラシを取り付けた薄型のモップアタッチメントを有し、前記延長管の側面に、前記モップアタッチメントを収納する収納部を設けた請求項１に記載の電気掃除機。
【請求項３】
収納部の出口部近傍に、くし歯を設けた請求項１または２記載の電気掃除機。
【発明の詳細な説明】
【技術分野】
【０００１】
本発明は、電気掃除機に取り付けて使用するモップ状のアタッチメントであり、構成を簡略化しつつ使い勝手を改善したものである。
【背景技術】
【０００２】
従来電気掃除機のアタッチメントノズルとしては、先細り形状の隙間ノズルや、硬い植毛ブラシを有するブラシノズル等が存在するが、この種の吸口ブラシは、置物や棚などの凹凸の多いものの表面に付着したほこりを掃除したい状況では、ホースの先端に取り付けて使用することによる取り回しの不便さが問題となったり、きれいにほこりが取れなかったりと、使い勝手に欠けるものであった。そのため、電気掃除機のハンドル部分を着脱可能とし、この先端にモップブラシを取りつけたものが発明されている（例えば、特許文献１参照）。
【特許文献１】特開２００６−３４０８２６号公報
【発明の開示】
【発明が解決しようとする課題】
【０００３】
しかしながら上記の方法では、吸込口から電動送風機へと向かう風路内にモップブラシを配置しているため、吸込口から吸引された塵埃がモップに付着する可能性が高い。これを避けるためにモップアタッチメントを別室として清浄な外気を外気取入口から吸い込むことでモップを清掃する構成にすると、電動送風機の吸引力が吸込口と外気取入口で２分され、通常清掃時の吸引力が低下してしまう。
【課題を解決するための手段】
【０００４】
本発明は上記課題を解決するため、収納部を、吸込口から電動送風機へと向かう風路とは別の風路内に構成し、外気取入口から吸引した清浄な外気によりモップアタッチメントが清掃される構成とした上で、吸込口からの風路とモップ収納部を隔離するための開閉弁を設け、吸込口から塵埃を吸引する通常の使用状態においては開閉弁を閉塞し、モップ収納部にモップアタッチメントを入れた時に自動で開閉弁が開く構成とした。
【発明の効果】
【０００５】
本発明の電気掃除機によれば、モップアタッチメントを取り付けていない状態、あるいは収納部にきちんと収納されている状態では、収納部に流れ込む気流がなく、電動送風機の吸引力がすべて吸込口からの吸引に使用されるため、吸込口から塵埃を吸引する通常の使用状態では強力な吸引力を確保するとともに、モップアタッチメントの使用時、使用終了時に自動でモップアタッチメントを清掃できるため、常にモップアタッチメントをきれいな状態に保ちつつ、通常の使用状態での吸引力低下がない電気掃除機とすることが可能となる。また、モップアタッチメントを使用する際にホースの先端に取り付ける必要もないため、気が付いたときにさっと使える、清潔なモップが実現可能となる。
【発明を実施するための最良の形態】
【０００６】
第１の発明は、吸引風を生成する電動送風機を内蔵する掃除機本体と、前記電動送風機により発生する吸引風により塵埃を吸引する吸込口と、前記電動送風機と前記吸込口とをつなぐ風路と、前記風路と開閉弁を介して接続され外気取入口を有する収納部と、前記収納部に収納可能なモップアタッチメントとを備え、前記収納部内面に前記開閉弁と一体化された、あるいは連動する構成とされた開閉突起を設け、前記開閉突起は、ばね等により通常状態では前記開閉弁が閉じた状態で保持され、モップアタッチメントが前記収納部へと挿入される際に前記開閉突起が押されることにより前記開閉弁が開き、前記モップアタッチメントが前記収納部へ奥まで挿入された状態では、前記開閉突起を押さない構成とすることで前記開閉弁が閉じる構成としたもので、置物の表面や物と物の間、テレビ表面などに付着した、掃除機では取りにくいほこり等を手軽にモップアタッチメントにより掃除可能であり、かつ意図した動作を必要とせずに自動的にモップアタッチメントに付着した塵埃が掃除基本体内へと吸引されクリーニングされるため、手軽かつ清潔な掃除が可能となる。
【０００７】
第２の発明は、第１の発明の吸込口に延長管が接続され、延長管にホースが接続され、ホースが掃除機本体へと接続されることで電動送風機と吸込口が連通される電気掃除機において、断面を略平板形状としたモップ芯にモップブラシを取り付けた薄型のモップアタッチメントを有し、前記延長管の側面に、前記モップアタッチメントを収納する収納部を設けたことで、通常使用時に邪魔にならない位置に収納され、使いたいときに片手でさっと取り出し、さっと使って収納でき、薄型のため狭いところや置物の下にも入りやすいモップアタッチメントが実現可能となる。
【０００８】
第３の発明は、第１または第２の発明の収納部の出口部近傍に、くし歯を設けたことで、収納部に収納する際、あるいは収納部から取り出す際にモップブラシをこすり、付着した塵埃が取れやすくするのと合わせ、モップブラシをくしで毛並をそろえることでモップブラシをふんわりと維持可能となる。
【０００９】
以下、本発明の実施の形態について、図面を参照しながら説明する。なお、この実施の形態により本発明が限定されるものではない。
【００１０】
（実施の形態１）
図１〜図４は本発明の第１の実施の形態を示すもので、図１および図２はモップアタッチメントの収納部を延長管側面に構成した状態を表す図であり、図３がモップアタッチメントを収納部から取り外した状態、図４がモップアタッチメントを収納部に収納している途中および完全に収納された状態を表す図である。
【００１１】
図１および図２において、収納部６は延長管１２の側面に構成されており、この内部にモップアタッチメント７が挿入される。モップアタッチメント７の柄は扁平形状であり、この表面にモップブラシ１０が取り付けられている。また、この柄はゆるやかなクランク状に屈曲しており、テーブルなどの平面部分を掃除する際に柄を握った手が掃除面に当たることなくモップブラシ１０の片面全体が掃除面に当ることで効果的な掃除が可能となる。
【００１２】
収納部６の内部は二重壁となっており、収納部内壁１５には多数の穴が開いており、収納部６の挿入口１７から入った外気がモップアタッチメント７表面のモップブラシ１０に付着した塵埃を吹き飛ばし、収納部内壁１５の穴から開閉弁５の穴を通じて風路４へと流れ込み、最終的にはモップブラシ１０に付着していた塵埃は掃除機本体内部へと吸引される。
【００１３】
図３および図４において、延長管１２側面に取り付けられた収納部６は、収納部外壁１６が延長管１２内部と開口１９で連通しており、この開口１９を開閉弁５が閉塞している。開閉弁５はばね１８によって常に穴を閉塞するように取り付けられており、モップアタッチメント７が収納部６に収納されていない状態では延長管１２内部へ収納部６から流れ込む外気はないため、吸引力のすべてが吸込口３へと加わる。モップアタッチメント７が収納部６の内部へと収納される途中状態では、モップブラシ１０が開閉弁５を押すことで開口１９を通じて挿入口１７から開口１９へと流れる気流が生じ、これによりモップブラシ１０が清掃される。
【００１４】
収納部６は収納部外壁１６と収納部内壁１５から構成されており、これらは帯電防止効果あるいは導電性のある材料からなっており、モップアタッチメント７が帯電し塵埃が吸着している状態で収納されると、モップアタッチメント７や塵埃が除電されることで吸着がなくなり、塵埃がモップアタッチメント７から離れやすくなる。
【００１５】
（実施の形態２）
図５は本発明の第２の実施の形態を示すもので、収納部６の挿入口１７にくし歯２０を設けたものである。なお、実施の形態１と同一符号のものは同一構造を有し、説明は省略する。収納部６に収納されたモップアタッチメント７を取り出す際に、くし歯２０によりモップブラシ１０に付着した塵埃がそぎ落とされ、挿入口１７から開口１９へと向かう記入により塵埃が掃除機本体２内部へと吸引されることで、モップブラシ１０がよりきれいに清掃される。
【００１６】
なお、前記実施の形態１、２において、収納部６は延長管１２に取り付けられる構成としたが、収納部６をそれ以外の場所、たとえば掃除機本体２へと取り付けることもでき、この場合はホース１３・延長管１２といった手でもって操作する部分の重量を軽くすることが可能となり、掃除時の疲労を低減させる効果が見込まれる。
【産業上の利用可能性】
【００１７】
以上のように本発明にかかる電気掃除機は、使いたいときにさっと使え、さっと収納でき、常にきれいな使いやすいモップアタッチメントを実現し、床の上から棚の上などの広範囲にわたって容易に掃除可能となるため、簡単かつ効率的に部屋全体を掃除できるようになる。
【図面の簡単な説明】
【００１８】
【図１】本発明の実施の形態１における電気掃除機の全体図
【図２】同、電気掃除機の収納部まわりを表す外観図
【図３】同、電気掃除機の収納部からモップアタッチメントを取り外した状態を示すイメージ図
【図４】（ａ）同、電気掃除機の収納部に途中までモップアタッチメントを収納した状態を示すイメージ図（ｂ）同、電気掃除機の収納部の奥までモップアタッチメントを収納した状態を示すイメージ図
【図５】本発明の実施の形態２における電気掃除機の収納部を表す断面図
【図６】従来の電気掃除機まわりを表す側面図
【符号の説明】
【００１９】
１    電動送風機
２    掃除機本体
３    吸込口
４    風路
５    開閉弁
６    収納部
７    モップアタッチメント
８    開閉突起
９    モップ芯
１０  モップブラシ
１１  くし歯
１２  延長管
１３  ホース
１４  吸気風
１５  収納部内壁
１６  収納部外壁
１７  挿入口
１８  ばね
１９  開口
２０  くし歯
【図１】
2010213886.tif 000003
【図２】
2010213886.tif 000004
【図３】
2010213886.tif 000005
【図４】
2010213886.tif 000006
【図５】
2010213886.tif 000007
【図６】
2010213886.tif 000008